(57)【要約】【課題】スピーカの電気／音響変換素子とは異なる構造体を音響振動出力体として備える音響発生装置において、該音響振動出力体からの音響発生効率を向上させる。【解決手段】振動軸５の一端側は振動発生部３の出力側に接続され、他端側は装飾用ホルダ２９における空隙３５の開口寄りの部位にまで達している。振動軸５とケーシング１の支柱部分とにより画定される隙間に介装される振動軸保持用Ｏリング３１、３３により、横方向のガタツキを防止された状態で、振動発生部３からの音響振動が振動軸５、及び音響発生用自在継手固定キャップ９を通じて音響発生葉用自在継手１１に確実に伝達される。振動発生部３から振動軸５に伝達される音響振動は、台座７から、音響発生葉用自在継手１３、１５、４１にも確実に伝達される。【選択図】図１
2008167135.tif 000002
【特許請求の範囲】
【請求項１】
音源からの電気信号を、音響振動に変換する電気信号／音響振動変換部と、
略直線状に延在する剛体で構成される、一端側が前記電気信号／音響振動変換部に接続され、一端側から伝達される前記電気信号／音響振動変換部からの音響振動を他端側へと導くための音響振動伝達部材と、
可撓性を有する線状の弾性材を構成要素として含み、一端側が前記音響振動伝達部材の他端部寄りの部位に着脱自在に取付けられる、前記音響振動伝達部材からの音響振動を他端側へと導くための継手部材と、
所定の曲率で湾曲せしめられ、前記継手部材の他端側に着脱自在に保持される植物の特定部位の形状に模して作成された音響振動出力体であって、前記継手部材を通じて伝達される音響振動を可聴の音響として所定の指向方向に出力する音響振動出力体と、
を備える音響発生装置。
【請求項２】
請求項１記載の音響発生装置において、
前記継手部材が、固定金具を介して前記音響振動伝達部材の前記他端側に着脱自在に取付けられている音響発生装置。
【請求項３】
請求項１記載の音響発生装置において、
前記可撓性を有する線状の弾性材が、竹ひごであり、前記継手部材は、複数本の竹ひごの束と、該束を包囲する熱収縮チューブと、前記竹ひごの束を固定するための固定用部材とを有する音響発生装置。
【請求項４】
請求項１記載の音響発生装置において、
前記所定の曲率が、前記音響振動出力体の軸線方向の長さに対し、０.６４倍程度に設定されている音響発生装置。
【請求項５】
請求項１記載の音響発生装置において、
前記音響振動出力体が、草花、又は植木に模して作成されている音響発生装置。
【請求項６】
請求項１記載の音響発生装置において、
前記音響振動出力体、及び前記継手部材が、夫々複数備えられており、各々の音響振動出力体は、互いに接触することがないような位置関係で夫々異なる継手部材によって保持されている音響発生装置。
【請求項７】
請求項１記載の音響発生装置において、
前記音響振動出力体と略同一形状を呈する１個又は複数個のダミーの音響振動出力体を更に備える音響発生装置。
【請求項８】
請求項７記載の音響発生装置において、
前記１個又は複数個のダミーの音響振動出力体が、前記音響振動出力体と接触することがないような位置関係で夫々前記音響振動伝達部材からの音響振動が伝達されない構造体により支持される異なる継手部材によって保持されている音響発生装置。
【請求項９】
ハウジングと、
一端側が外部に開放され、他端側が前記ハウジングの内部空間に連通する第１の音響管と、
前記ハウジングの内部空間に設けられるスピーカユニットであって、そのコーン面を前記第１の音響管の他端側が臨む部位に対向するように前記内部空間に配置され、前記内部空間を外部に開放されている第１のキャビネットと、外部から密閉状態で隔離される第２のキャビネットとに仕切るスピーカユニットと、
前記第１の音響管内から前記第１のキャビネットの内部空間にかけての部位に摺動自在に設けられる第２の音響管であって、その前記コーン面に対向する側の端部が、前記コーン面に接触することの無い位置を基準位置として、それより離間する任意の位置で位置決めされ、固定される第２の音響管と、
を備えるスピーカシステム。
【請求項１０】
請求項９記載のスピーカシステムにおいて、
前記基準位置が、音源から前記スピーカユニットに出力される電気信号により、前記コーン面が振動しても、前記第２の音響管の前記端部が、前記コーン面に接触することの無い位置であるスピーカシステム。
【請求項１１】
請求項９記載のスピーカシステムにおいて、
前記第１の音響管の外部に開放している側に、１個又は複数個の音響ポートが設けられているスピ−カシステム。
【請求項１２】
請求項１１記載のスピーカシステムにおいて、
前記音響ポートの個数、及び大きさが、前記スピーカシステムにおけるヘルムホルツ共振周波数特性に顕著な影響を及ぼさない範囲で設定されるスピ−カシステム。
【発明の詳細な説明】
【技術分野】
【０００１】
本発明は、音源からの電気信号を、音響振動に変換して出力する音響発生装置に関する。
【背景技術】
【０００２】
従来、ストレスの解消と室内緑化のための植木鉢を有効に利用することを目的としたサラウンドタイプのスピーカシステムが提案されている。該提案に係るスピーカシステムでは、内部にスピーカユニットを装着したスピーカボックスの下面に、一対の脚と放音部とが形成され、該スピーカボックスの天板と植木鉢の底部とが密着した状態で係合された構成になっている（例えば特許文献１参照）。
【０００３】
また、スピ−カユニットが小型で低音特性に優れ、且つ室内装飾品として優れた形状を有するバスレフ型のスピーカボックスを提供することを目的とした提案もなされている。該提案に係るスピーカボックスは、ボックス主体と、その外部から上方に延びるダクトとが、滑らかな曲線を呈する外殻により一体に形成された構成となっている（例えば特許文献２参照）。
【０００４】
更に、草花や木などから音楽や声などの音響を発生させることができるようにすることを目的とした音響発生装置が提案されている。該提案に係る音響発生装置では、音源機器からその出力端子を通じて出力される電気信号によりコイル部を振動させ、コイル部に嵌入された草花や木などの棒状の被音響発生部材から音響を発生させるような構成となっている（例えば特許文献３参照）。
【０００５】
【特許文献１】実願平４−９３４３９号（実開平６−５４３８８号）のマイクロフィルム
【特許文献２】実願昭６０−８５６３５号（実開昭６１−２０２９９０号）のマイクロフィルム
【特許文献３】特許第３３５３００８号公報
【発明の開示】
【発明が解決しようとする課題】
【０００６】
ところで、上述した提案のうちの、特許文献１として挙げた提案に開示されている技術、及び特許文献２として挙げた提案に開示されている技術は、夫々所期の目的を達成することが可能であったとしても、本質的に、草花や植木等の植物自体から音響を発生させるものではない。現実には、これら２つの提案に係る装置（スピーカシステム、及びスピーカボックス）は、音源からの出力信号がスピーカにおいて音響に変換されて、音響がスピーカから発せられるにも拘らず、恰も音響が上記植物から発せられるように擬似的に構成されているに過ぎない。上記に加えて、上記２つの提案に開示されている技術では、充分に高い音量や高品質の音響が得られないという問題もある。
【０００７】
そこで、このような事情に鑑みて提案されたのが、特許文献３として挙げた提案に係る技術である。
【０００８】
しかし、この提案に開示されている技術は、所期の目的を達成することが可能であったとしても、装置の設置条件に制約があるので、ユーザが所望する設置箇所によっては、該装置を設置できない場合がある。また、該提案に係る技術では、被音響発生部材である草花や木や創作物などの棒状部材を、コイル部に確実に取付けるための具体的な方法が開示されていないから、被音響発生部材をコイル部に確実に取付けるのは困難である。また、該提案に係る技術では、被音響発生部材からだけではなく、音響発生装置本体からも音響が発生し、しかも、該音響の方が、（草花や木等の植物、これらを模造した構造物、その他人工的な構造物等の）被音響発生部材から発生する音響よりも大きいという問題もある。また、該提案に係る技術では、被音響発生部材から発生する音響や、音響発生装置本体から発生する音響の音量及び音質と、通常のスピーカから出力される音響の音量及び音質とを比較すると、被音響発生部材や音響発生装置本体から発生する音響の方が、通常のスピーカから出力される音響よりも音量が小さく、音質が劣るという問題もある。
【０００９】
更に、本発明者が実験を行った結果では、従来より製造されている所謂造花と称される部材が、音響を発生させる構造物（構造体）としては不適当であるという事実が判明している。
【００１０】
従って本発明の目的は、スピーカの電気／音響変換素子とは異なる構造体を音響振動出力体として備える音響発生装置において、該音響振動出力体からの音響発生効率を向上させることができるようにすることにある。
【００１１】
また、本発明の他の目的は、音響振動出力体として、草花や木等の植物に類似させた人工の構造体、若しくは草花や木等の植物とは非類似の人工の構造体を用いて音響を発生させることが可能な音響発生装置を提供することにある。
【００１２】
また、本発明の更に他の目的は、高品質の音響が出力可能で、且つ低音の音響の再生帯域を広くとることが可能なスピーカを、観葉植物の略中央の部位にセットできるようにすると共に、それにより、スピーカからの音響が恰も観葉植物からの音響として認識され得るようにすることにある。
【課題を解決するための手段】
【００１３】
本発明の第１の観点に従う音響発生装置は、音源からの電気信号を、音響振動に変換する電気信号／音響振動変換部と、略直線状に延在する剛体で構成される、一端側が前記電気信号／音響振動変換部に接続され、一端側から伝達される上記電気信号／音響振動変換部からの音響振動を他端側へと導くための音響振動伝達部材と、可撓性を有する線状の弾性材を構成要素として含み、一端側が上記音響振動伝達部材の他端部寄りの部位に着脱自在に取付けられる、上記音響振動伝達部材からの音響振動を他端側へと導くための継手部材と、所定の曲率で湾曲せしめられ、上記継手部材の他端側に着脱自在に保持される植物の特定部位の形状に模して作成された音響振動出力体であって、上記継手部材を通じて伝達される音響振動を可聴の音響として所定の指向方向に出力する音響振動出力体と、を備える。
【００１４】
本発明の第１の観点に係る好適な実施形態では、上記継手部材が、固定金具を介して上記音響振動伝達部材の上記他端側に着脱自在に取付けられている。
【００１５】
上記とは別の実施形態では、上記可撓性を有する線状の弾性材が、竹ひごであり、上記継手部材は、複数本の竹ひごの束と、その束を包囲する熱収縮チューブと、上記竹ひごの束を固定するための固定用部材とを有する。
【００１６】
また、上記とは別の実施形態では、上記所定の曲率が、上記音響振動出力体の軸線方向の長さに対し、０.６４倍程度に設定されている。
【００１７】
また、上記とは別の実施形態では、上記音響振動出力体が、草花、又は植木に模して作成されている。
【００１８】
また、上記とは別の実施形態では、上記音響振動出力体、及び上記継手部材が、夫々複数備えられており、各々の音響振動出力体は、互いに接触することがないような位置関係で夫々異なる継手部材によって保持されている。
【００１９】
また、上記とは別の実施形態では、上記音響振動出力体と略同一形状を呈する１個又は複数個のダミーの音響振動出力体を更に備える。
【００２０】
更に、上記とは別の実施形態では、上記１個又は複数個のダミーの音響振動出力体が、上記音響振動出力体と接触することがないような位置関係で夫々上記音響振動伝達部材からの音響振動が伝達されない構造体により支持される異なる継手部材によって保持されている。
【００２１】
本発明の第２の観点に従うスピーカシステムは、ハウジングと、一端側が外部に開放され、他端側が上記ハウジングの内部空間に連通する第１の音響管と、上記ハウジングの内部空間に設けられるスピーカユニットであって、そのコーン面を上記第１の音響管の他端側が臨む部位に対向するように上記内部空間に配置され、上記内部空間を外部に開放されている第１のキャビネットと、外部から密閉状態で隔離される第２のキャビネットとに仕切るスピーカユニットと、上記第１の音響管内から上記第１のキャビネットの内部空間にかけての部位に摺動自在に設けられる第２の音響管であって、その上記コーン面に対向する側の端部が、上記コーン面に接触することの無い位置を基準位置として、それより離間する任意の位置で位置決めされ、固定される第２の音響管と、を備える。
【００２２】
本発明の第２の観点に係る好適な実施形態では、上記基準位置が、音源から上記スピーカユニットに出力される電気信号により、上記コーン面が振動しても、上記第２の音響管の前記端部が、上記コーン面に接触することの無い位置である。
【００２３】
上記とは別の実施形態では、上記第１の音響管の外部に開放している側に、１個又は複数個の音響ポートが設けられている。
【００２４】
また、上記とは別の実施形態では、上記音響ポートの個数、及び大きさが、上記スピーカシステムにおけるヘルムホルツ共振周波数特性に顕著な影響を及ぼさない範囲で設定される。
【発明の効果】
【００２５】
本発明によれば、スピーカの電気／音響変換素子とは異なる構造体を音響振動出力体として備える音響発生装置において、該音響振動出力体からの音響発生効率を向上させることができるようにすることが可能になる。
【００２６】
また、本発明によれば、音響振動出力体として、草花や木等の植物に類似させた人工の構造体、若しくは草花や木等の植物とは非類似の人工の構造体を用いて音響を発生させることが可能な音響発生装置を提供することができる。
【００２７】
更に、本発明によれば、高品質の音響が出力可能で、且つ低音の音響の再生帯域を広くとることが可能なスピーカを、観葉植物の略中央の部位にセットできるようにすると共に、それにより、スピーカからの音響が恰も観葉植物からの音響として認識され得るようにすることができる。
【発明を実施するための最良の形態】
【００２８】
以下、本発明の実施の形態を、図面により詳細に説明する。
【００２９】
図１は、本発明の一実施形態に係る音響発生装置が備える振動装置の全体構成を示した図である。図１において、図１（ａ）は、上記振動装置を上方から見た図であり、図１（ｂ）は、図１（ａ）のＡ−Ａ´線で切断したときの上記振動装置の断面構造を示した図である。
【００３０】
上記振動装置は、図１（ａ）、及び図１（ｂ）に示すように、ケーシング１と、振動発生部３と、振動軸５と、台座７と、音響発生用自在継手固定キャップ９と、複数の音響発生葉用自在継手１１、１３、１５、４１と、複数のダミー（装飾葉）用自在継手１７、１９、３７と、装飾用ホルダ２９と、を備える。上記振動装置は、上記各部に加えて、更に、複数の音響発生葉用自在継手固定ねじ２１、２３、４３と、複数のダミー（装飾葉）用自在継手固定ねじ２５、２７、３９と、複数の振動軸保持用Ｏリング３１、３３をも備える。
【００３１】
図１（ａ）に示すように、上記振動装置は、その上方から見た全体形状が、略円形状を呈し、最外郭に略円環状を呈する装飾用ホルダ２９が、その内周側に円環状の空隙３５を隔てて略円環状を呈する台座７が、同心に配置された構成になっている。装飾用ホルダ２９の内周面には、ダミー（装飾葉）用自在継手１７、１９、３７が、略等間隔に配置されており、各ダミー（装飾葉）用自在継手１７、１９、３７は、夫々ダミー（装飾葉）用自在継手固定ねじ２５、２７、３９によって取付固定されている。
【００３２】
台座７の外周面には、音響発生葉用自在継手１３、１５、４１が、略等間隔に配置されており、各音響発生葉用自在継手１３、１５、４１は、夫々音響発生葉用自在継手固定ねじ２１、２３、４３によって取付固定されている。また、台座７の中心には、振動軸５が嵌挿されており、振動軸５の上端部分には、音響発生用自在継手固定キャップ９が装着されている。（図１（ｂ）に記載の）音響発生葉用自在継手１１は、音響発生用自在継手固定キャップ９を介して振動軸５に連携される。
【００３３】
図１（ｂ）に示すように、ケーシング１は、その側断面が略逆Ｔ字状を呈しており、ケーシング１の横方向に拡がる底部の略中央には、例えば円柱形状を呈する振動発生部３が配置されている。一方、ケーシング１の縦方向に延在する支柱部分の上端部近傍には、装飾用ホルダ２９が嵌合されている。装飾用ホルダ２９は、その側断面が略凹状を呈するように、装飾用ホルダ２９と同心状に切り欠かれた上部が全開している空隙３５を有する。
【００３４】
振動軸５は、その一端側が振動発生部３の出力側に接続されると共に、その他端側は、装飾用ホルダ２９における空隙３５の開口寄りの部位にまで達している。振動軸５は、振動軸５とケーシング１の支柱部分とにより画定される隙間に介装される振動軸保持用Ｏリング３１、３３により、横方向のガタツキを防止された状態で、振動発生部３からの音響振動（縦波：疎密波）が振動軸５、及び音響発生用自在継手固定キャップ９を通じて音響発生葉用自在継手１１に確実に伝達されるように保持される。なお、振動発生部３から振動軸５に伝達される音響振動は、更に、台座７から、音響発生葉用自在継手１３、１５、４１にも確実に伝達される。
【００３５】
本実施形態では、振動軸保持用Ｏリング３１が、上記支柱部分の上端寄りの部位に、振動軸保持用Ｏリング３３が、上記支柱部分の下端寄りの部位に、夫々介装されている。振動軸５の上端部には、音響発生用自在継手固定キャップ９の下部の部位が装着されており、音響発生用自在継手固定キャップ９の上部の部位は、音響発生葉用自在継手１１の下端寄りの部位に装着されている。
【００３６】
台座７は、略円柱形状を呈しており、その略中心に振動軸５が嵌挿されている。台座７は、空隙３５の底部寄りの部位に位置決めされ、台座固定用のねじ４４により振動軸５に取付固定されている。図１（ａ）において述べたように、台座７の外周面には、複数の音響発生葉用自在継手１３、１５（、４１）が、略等間隔に配置されており、各音響発生葉用自在継手１３、１５（、４１）は、夫々音響発生葉用自在継手固定ねじ２１、２３（、４３）によって取付固定されている。
【００３７】
図１（ａ）において述べたように、装飾用ホルダ２９の内周面には、複数のダミー（装飾葉）用自在継手１７、１９（、３７）が、略等間隔に配置されており、各ダミー（装飾葉）用自在継手１７、１９（、３７）は、夫々ダミー（装飾葉）用自在継手固定ねじ２５、２７（、３９）によって取付固定されている。これらのダミー（装飾葉）用自在継手１７、１９（、３７）の下端部は、空隙３５の底部、即ち、装飾用ホルダ２９に没入した状態で取付固定されている。
【００３８】
図２は、図１に記載の振動装置において、振動伝達系統を構成する各部を示した図である。図２において、図２（ａ）は、上記振動伝達系統を上方から見た図であり、図２（ｂ）は、図２（ａ）のＢ−Ｂ´線で切断したときの上記振動伝達系統の断面構造を示した図である。
【００３９】
本実施形態では、振動伝達系統が、振動軸５と、台座７と、複数の音響発生葉用自在継手１１、１３、１５（、４１）とによって構成される。図１において詳細に説明したように、振動軸５は、その一端側が振動発生部３の出力側に接続されていると共に、その他端側寄りの部位には、台座７が、その略中心部が嵌挿された状態で、台座固定用のねじ４４により取付固定されている。
【００４０】
図３は、図１に記載の振動装置を構成するケーシング１、振動発生部３、及び振動軸５を示した図である。図３において、図３（ａ）は、ケーシング１、振動発生部３、及び振動軸５を上方から見た図であり、図３（ｂ）は、図３（ａ）のＣ−Ｃ´線で切断したときのケーシング１、振動発生部３、及び振動軸５の断面構造を示した図である。
【００４１】
図１において述べたように、上方から見たケーシング１の底部の輪郭、同じく上方から見たケーシング１の支柱部分の輪郭、同じく上方から見た振動軸５の輪郭は、何れも略円形状を呈するように構成されており、ケーシング１の底部、ケーシング１の支柱部分、及び振動軸５は、同心状に配置されている。
【００４２】
振動発生部３は、スピーカのコアの部分に対応するもので、例えば固定子であるリング状の磁石と、振動子（可動子）であるボイスコイルと、を備える。振動発生部３は、図示しない音源（例えばＣＤプレイヤー）から一対の信号ケーブル（図示しない）を通じて伝送される音響信号（電気信号）を、ボイスコイルにより音響（振動）に変換する。
【００４３】
振動軸５は、例えば剛体で構成されており、その基端側が上述したボイスコイルの上面に取付固定されている。なお、符号３１、３３で示した部材は、振動軸保持用Ｏリングである。
【００４４】
図４は、図１、及び図２に記載の音響発生葉用自在継手１１、１３、１５、４１、及びダミー（装飾葉）用自在継手１７、１９、３７の構造を示した図である。図４において、図４（ａ）は、音響発生葉用自在継手１１、１３、１５、４１、及びダミー（装飾葉）用自在継手１７、１９、３７を上方から見た図であり、図４（ｂ）は、内部構造の一部が露出された状態の音響発生葉用自在継手１１、１３、１５、４１、及びダミー（装飾葉）用自在継手１７、１９、３７の斜視図である。更に、図４（ｃ）は、内部構造の全部が露出された状態の音響発生葉用自在継手１１、１３、１５、４１、及びダミー（装飾葉）用自在継手１７、１９、３７の斜視図である。
【００４５】
図４に示すように、音響発生葉用自在継手１１、１３、１５、４１、及びダミー（装飾葉）用自在継手１７、１９、３７は、複数本（例えば５本程度）の細長い竹ひご４５、４７、４９、５１、５３と、熱収縮チューブ５５と、固定キャップ５７と、を構成要素とする。竹ひご４５、４７、４９、５１、５３は、（音響発生葉用自在継手、及びダミー（装飾葉）用自在継手の）骨格部材として採用されるもので、図４（ｂ）に示すように何れも直線状に延びる長尺な部材であり、それらは音響振動の伝達効率を低下させないために、互いに密着した状態で束ねられている。竹ひご４５、４７、４９、５１、５３に、何れも細長い竹材を用いる理由は、曲げた状態（湾曲した状態）にすることが比較的容易であるのみならず、細長いが故に、竹ひご（４５、４７、４９、５１、５３）の一端側から他端側への音響振動の伝達効率が比較的高いからである。
【００４６】
１束に束ねられた竹ひご４５、４７、４９、５１、５３の一端側には、図４（ｃ）に示すように竹ひご４５、４７、４９，５１、５３の束を固定するために、固定キャップ５７が被されている。固定キャップ５７は、例えば市販の接着剤により上記竹ひご４５、４７、４９、５１、５３の束の一端側に接着され、固定されている。更に、１束に束ねられた竹ひご４５、４７、４９、５１、５３の外周部は、上記固定キャップ５７が被せられている一端側の部位を除いた（開放端になっている）他端側の部位に至る残りの部位の全部に亘って、熱収縮チューブ５５により、図４（ａ）に示す態様で包囲されている。なお、上述した自在継手（音響発生葉用自在継手（１１、１３、１５、４１）、のみならず、ダミー（装飾葉）用自在継手（１７、１９、３７）をも含む）は、直線状に延在している状態が音響振動の伝達効率が最も高く、湾曲の度合が大きくなればなるほど音響振動の伝達効率が低下する。上記自在継手は、固定金具の締付の度合を強めることによって、設定した湾曲の度合を維持することができ、また、固定金具の締付の度合を緩めることにより、湾曲の度合を自在に設定変更することができる。このように、自在継手の湾曲の度合を自在に調整することができるので、音響振動出力体の取付角度を自由に設定することができる。
【００４７】
図５は、図４に記載の音響発生葉用自在継手１１、１３、１５、４１、及びダミー（装飾葉）用自在継手１７、１９、３７が湾曲したときの状態を示した図である。なお、図５（ａ）、及び図５（ｂ）において、図４（ｂ）、及び図４（ｃ）におけると同一物には、同一符号を付す。
【００４８】
図５（ａ）、及び図５（ｂ）に示すように、音響発生葉用自在継手１１、１３、１５、４１、及びダミー（装飾葉）用自在継手１７、１９、３７において、１束に束ねられている竹ひご４５、４７、４９、５１、５３の一端側のみ（固定キャップ５７と接着剤で）固定した状態で、音響発生葉用自在継手１１、１３、１５、４１、及びダミー（装飾葉）用自在継手１７、１９、３７を弓なりに反らせると、例えば竹ひご４５、及び竹ひご５３の固定していない他端側において、それらの長さの間に“Ｄ”という差が生じる。
【００４９】
しかし、上記状態で、上記１束に束ねられている複数本の竹ひご４５、４７、４９、５１、５３の他端側を、図１、及び図２に記載の音響発生用自在継手固定キャップ９、音響発生葉用自在継手固定ねじ２１、２３、４３、及びダミー（装飾葉）用自在継手固定ねじ２５、２７、３９を用いてずれないように振動軸５や、台座７に取付固定することにより、仮に上記竹ひご４５、４７、４９、５１、５３が弓なりに反ったとしても、竹ひご４５、及び竹ひご５３の固定していない他端側において、それらの長さの間に“Ｄ”という差が生じるのを防止することができる。よって、上記各自在継手は、その軸方向（垂直方向）に固定された状態で保持されるから、音響発生葉用自在継手１１、１３、１５、４１を介した音響発生用部材（これについては、後に詳述する。）の自由な設置が可能になると共に、振動軸５や、振動軸５、及び台座７を介した振動発生部３からの音響振動の効率的な伝達が可能になる。
【００５０】
本実施形態では、音響発生葉用自在継手１１、１３、１５、４１、及びダミー（装飾葉）用自在継手１７、１９、３７を構成する骨格部材として、単位体積当りの重量が軽く、軸方向に対し大きな強度（硬度）を持ち、音響振動を伝達するための素材としても優れた材質である竹ひごを用いた。しかし、音響発生葉用自在継手１１、１３、１５、４１、及びダミー（装飾葉）用自在継手１７、１９、３７を構成する骨格部材は、竹ひごのみに限定されるものではなく、竹ひごと同等の性質（弾性力や可撓性）を有するものであれば、どのような材料を用いても差し支えない。
【００５１】
図６は、本発明の一実施形態に係る音響発生装置において、音響発生用部材として用いられる葉の模造品（人造の葉）の一例を示す説明図である。
【００５２】
図６に示すように、音響発生用部材としての人造の葉５９は、その茎の部位が接続用の円筒状固定金具６１を介して音響発生葉用自在継手（１１、１３、１５、４１）の固定キャップ５７が被されている側の端部に取付固定される。既述のように、音響発生葉用自在継手１１の他端側は、音響発生用自在継手固定キャップ９を介して振動軸５に、音響発生葉用自在継手１３、１５、４１の他端側は、音響発生葉用自在継手固定ねじ２１、２３、４３を介して台座７に、夫々取付固定される。これにより、振動発生部３からの音響振動が音響発生葉用自在継手１１、１３、１５、４１に伝達される。
【００５３】
図７は、図６に記載の人造の葉５９の構造の一例を示した図である。図７において、図７（ａ）は、人造の葉５９の正面図であり、図７（ｂ）は、該人造の葉５９の側面図である。
【００５４】
図７に記載の例では、何れも人造の葉５９の葉脈である中心軸６３と、複数本（図７では４本）の枝軸６５、６７、６９、７１、７３、７５、７７、７９とが、例えば上述した竹ひごのような弾性力や可撓性を有し、単位体積当りの重量が軽く、軸方向に対し大きな強度（硬度）を持ち、且つ、音響振動を伝達するための素材としても優れた材質の部材が用いられる。中心軸６３は、人造の葉５９の長尺方向に延びており、複数本の枝軸６５、６７、６９、７１は、中心軸６３から向かって左斜め上方向に分岐（枝分かれ）している。一方、複数本の枝軸７３、７５、７７、７９は、中心軸６３から向かって右斜め上方向に分岐（枝分かれ）しており、何れも中心軸６３からの分岐（枝分かれ）位置が、枝軸６５、６７、６９、７１の中心軸６３からの分岐（枝分かれ）位置とはずれた位置に設定されている。
【００５５】
中心軸６３と、枝軸６５、６７、６９、７１、７３、７５、７７、７９との接続部位の構造は、各々の枝軸６５、６７、６９、７１、７３、７５、７７、７９が中心軸６３に対し確実に接続でき、且つ、所定の硬度での接続が保持できるような構造に設定されている。中心軸６３と、枝軸６５、６７、６９、７１、７３、７５、７７、７９との接続構造を、上記のような接続構造にすることにより、人造の葉５９からの音響の発生効率を高めることが可能になる。
【００５６】
中心軸６３と、枝軸６５、６７、６９、７１、７３、７５、７７、７９とを骨格部材として、輪郭線が葉状に縁取られた２枚の振動板８１、８３が、図７（ｂ）に示すように、中心軸６３、枝軸６５、６７、６９、７１、７３、７５、７７、７９を挟むようにして、市販の接着剤により貼り合わされる。振動板８１、８３を構成する材料には、吸水性があり、且つ、乾燥時に収縮する性質を有する材料、例えば和紙、若しくはフィルム材等が採用される。振動板８１、８３には、必要に応じて予め種々のイラストや写真等の画像がプリントアウトされた和紙（若しくは、フィルム）等の材料が用いられる。
【００５７】
振動板８１、８３を中心軸６３、枝軸６５、６７、６９、７１、７３、７５、７７、７９に貼り合わせるための接着剤には、その固形化時に、無色透明な状態になるものを用いるのが、人造の葉５９のデザイン上望ましい。
【００５８】
振動板８１、８３を中心軸６３、枝軸６５、６７、６９、７１、７３、７５、７７、７９に対し接着剤を用いて貼り合わせ処理を行った後、加熱処理を行うことで、熱収縮を利用し、振動板８１、８３に張りを持たせることが可能になり、音響発生用部材として最適な構造にすることができる。また、人造の葉５９を、可能な限り天然の植物の葉らしく見せるために、天然の植物の葉の写真（画像）を振動板８１、８３に貼り付けることで、天然の植物の葉に近い人工植物の葉を作成することができる。
【００５９】
図８は、図７に記載の人造の葉５９における複数本の枝軸６５、６７、６９、７１、７３、７５、７７、７９の、中心軸６３への接続構造（取付構造）を示す部分斜視図である。
【００６０】
図８に示すように、各々の枝軸（６５、６７、６９、７１の何れか、及び７３、７５、７７、７９の何れか）が中心軸６３に接続される部位には、夫々枝軸（６５、６７、６９、７１の何れか、及び７３、７５、７７、７９の何れか）を中心軸６３に固定するための枝軸固定補助板（葉脈固定補助板）８５、８７が取付けられている。枝軸固定補助板８５、８７は、上記接続部位を覆うように、上下方向から見た形状が略Ｕ字状に折り曲げられた状態で上記接続部位に取付固定されている。
【００６１】
図９は、図６に記載の音響発生部材、即ち、人造の葉５９における音響の発生原理を示す説明図である。図９において、図９（ａ）は、人造の葉５９の正面図であり、図９（ｂ）は、該人造の葉５９の側面図である。
【００６２】
図９（ｂ）に示すように、人造の葉５９は、連続的に（滑らかに）曲げられていると共に、自在継手（音響発生葉用自在継手（１１、１３、１５、４１の何れか）も、その中間の部位においても、連続的に（滑らかに）曲げられている。人造の葉５９の湾曲は、例えば該人造の葉５９に対する加熱処理、力を加える処理、乾燥処理等の工程を経る方法や、或いは、該人造の葉５９に対し、スチームをかけながら湾曲させた後に、乾燥させる方法や、該人造の葉５９の先端側に錘を付けて強制的に湾曲させる方法等が想到され得る。なお、図９において、図６、及び図７に記載したものと同一物には同一符号を付して、それらの詳細な説明を省略する。
【００６３】
図１０は、図９に記載の音響発生部材、即ち、人造の葉５９における音響の発生原理を示す説明図である。
【００６４】
図１０に示すように、人造の葉５９は、その軸線方向が、全体として略円弧状を呈するように（連続的に（滑らかに））湾曲せしめられている。そして、その湾曲の始端部位と、その湾曲の終端部位とを結ぶ線分と、該人造の葉５９の軸線方向が直線状を呈しているときの、その軸線方向と直交する方向（図１０における言わば横軸方向）とのなす角度が略４５度になるよう、設定されている。換言すれば、該人造の葉５９における湾曲の始端部位から湾曲の終端部位までの円弧の長さは、図１０における横軸と、直線状を呈する該人造の葉５９の軸線に略平行な図１０における縦軸との交点を中心とする半径ｒ＝０.６４ｘの円の略１／４の長さを持つ。
【００６５】
上記の態様で、人造の葉５９の軸線方向を湾曲せしめることにより、該人造の葉５９の軸線方向において最も大きく振動する部位が該人造の葉５９の中心領域になるので、該人造の葉５９から効率良く音響を発生させることが可能になる。
【００６６】
振動発生部３からの音響振動は、振動軸５、（台座７）、及び音響発生葉用自在継手（１１、１３、１５、４１）等を通じて人造の葉５９に伝達されるが、垂直方向の音響振動は、人造の葉５９において、円弧状に反った状態の該人造の葉５９の中央部で、面に垂直な方向への音響振動に変換される。即ち、予め人造の葉５９の縦方向（軸線方向）の長さに対し、０.６４倍程度の曲率半径となるように反りを入れた人造の葉５９の下部（音響発生葉用自在継手（１１、１３、１５、４１）に接続されている部分）から上記反りが生じていないときの該人造の葉５９の軸線方向に沿って音響振動を印加することにより、該人造の葉５９の面から略９０度の方向に音響振動が出力されることになる。
【００６７】
図１１は、図６に記載の人造の葉５９における音響振動の指向特性の一例を示す説明図である。図１１において、図１１（ａ）は、該人造の葉５９の側面から見た音響振動の指向特性を、また、図１１（ｂ）は、図１１（ａ）で示した人造の葉５９の上方から見た音響振動の指向特性を、夫々示す。なお、図１１において、太線矢印の長さは、人造の葉５９から出力される音響振動の強度を表す。
【００６８】
人造の葉５９の湾曲された面の略中央の部位において、該湾曲された面に交わる方向の音響振動の指向特性は、図１１（ａ）に示すように、該人造の葉５９の湾曲された凹面側における該面に対し、略９０度の角度をなす方向に出力される音響振動の指向特性が最も強く、上記角度が９０度から小さくなるほど弱くなる。一方、該人造の葉５９の湾曲された凸面側においては、該面に対し略９０度の角度をなす方向に出力される音響振動の指向特性も、９０度より小さい角度をなす複数の方向に出力される音響振動の指向特性も、強度においてはさほど変わりはない。
【００６９】
図１１（ｂ）に示すように、人造の葉５９の湾曲された面に沿って出力される音響振動の出力特性は、中心軸に沿って出力される音響振動の指向特性が最も強く、中心軸とのなす角度が大きくなるほど弱くなる。一方、該人造の葉５９において、上記中心軸とは反対方向に出力される音響振動の出力特性は、中心軸とは正反対の方向に出力される音響振動の指向特性も、中心軸との間に夫々異なる角度をなす複数の方向に出力される音響振動の指向特性も、強度においてはさほど変わりはない。
【００７０】
図１２は、図６に記載の人造の葉の構造の別の例を示した図である。図１２において、図１２（ａ）は、人造の葉９１の正面図であり、図１２（ｂ）は、該人造の葉９１の側面図である。
【００７１】
図１２に記載の人造の葉９１と、図７に記載の人造の葉５９とは、人造の葉９１が、何れも左斜め上方に向かって延びる複数本の枝軸９５、９７、９９、１０１、・・・の中心軸９３からの分岐位置と、何れも右斜め上方に向かって延びる複数本の枝軸１０３、１０５、１０７、１０９、・・・の中心軸９３からの分岐位置とが、対応する枝軸同士において同一位置に設定されている点において、図７に記載の人造の葉５９と相違する。その他の点については、図７に記載の人造の葉５９と同様であるので、詳細な説明を省略する。
【００７２】
図１３は、図６に記載の音響発生用部材として用いられる複数の人造の葉の、振動装置への取付態様の一例を示す説明図である。図１３において、図１３（ａ）は、複数の人造の葉の、振動装置への取付態様を上方から見た図であり、図１３（ｂ）は、複数の人造の葉の、振動装置への取付態様を側面から見た図である。
【００７３】
図１３に記載の取付態様では、人造の葉が３枚、相互に接触したり衝突したりすることがない角度（例えば、振動軸５を中心にして１２０度間隔）で、各々が音響発生葉用自在継手（（１１）、１３、１５、４１）によって保持されて配置されている。各々の人造の葉の、音響発生葉用自在継手（（１１）、１３、１５、４１）を介した振動装置への取付構造については、既に説明したとおりであるので、詳細な説明を省略する。
【００７４】
図１３に記載の例では、３枚の人造の葉を用いる場合について説明したが、勿論、人造の葉の枚数は、３枚に限定されるものではない。
【００７５】
ｓ  図１４は、図６に記載の音響発生用部材として用いられる複数の人造の葉の、振動装置への取付態様の別の例を示す説明図であり、図１５は、図６に記載の音響発生用部材として用いられる複数の人造の葉の、振動装置への取付態様の更に別の例を示す説明図である。図１４、及び図１５に記載の例は、何れも複数枚（図では、３枚）の人造の葉を振動発生部に組み合わせることで、インテリア・スピーカとして室内等に設置される場合を示す。
【００７６】
図１４において、図１４（ａ）に記載の例は、所謂鉢植えタイプと称される取付態様であり、図１４（ｂ）に記載の例は、フロアースタンドタイプと称される取付態様である。また、図１５において、図１５（ａ）に記載の例は、ディスプレイボード付きタイプと称される取付態様であり、図１５（ｂ）に記載の例は、壁掛けタイプと称される取付態様である。上記以外にも様々な態様が想到され得る。例えば、複数枚の人造の葉を振動発生部に組み合わせた構成のものを、照明器具と一体化した構成のものも想到され得る。
【００７７】
図１６は、図１に記載の振動装置において、振動伝達系統を構成する各部の別の実施例を示した図である。図１６において、図１６（ａ）は、上記振動伝達系統を上方から見た図であり、図１６（ｂ）は、図１６（ａ）のＤ−Ｄ´線で切断したときの振動発生部３、及び振動軸５の断面構造を示した図である。
【００７８】
本実施例では、振動伝達系統が、振動軸５と、１束に束ねられている複数本（図１６（ａ）では、５本）の音響発生葉用自在継手（１１１、１１３、１１５、１１７、１１９）と、複数本の音響発生葉用自在継手（１１１、１１３、１１５、１１７、１１９）を、振動軸５に取付固定するための固定金具１２１、１２３、及び固定ねじ１２５、１２７とによって構成される。本実施例では、図１、及び図２に記載したような台座７は用いていない。
【００７９】
固定金具１２１は、図１６（ａ）に示すように、振動軸５の外周面のうちの略半円部分に密着するように、その中央部分が略半円状に湾曲せしめられており、両端寄りの部位に、夫々固定ねじが螺合可能に雌ねじ部を有する貫通孔が形成されている。一方、固定金具１２３は、その中央部分が、振動軸５の外周面のうちの残りの略半円部分、及び１束に束ねられた複数本の音響発生葉用自在継手（１１１、１１３、１１５、１１７、１１９）をも収容が可能なように、半楕円状に湾曲せしめられており、両端寄りの部位に、夫々固定ねじが螺合可能に雌ねじ部を有する貫通孔が形成されている。固定金具１２１側の１対の貫通孔、及び固定金具１２３側の１対の貫通孔は、１束に束ねられた複数本の音響発生葉用自在継手（１１１、１１３、１１５、１１７、１１９）を、固定金具１２１、１２３が協働して振動軸５に取付固定するに際し、夫々対応する貫通孔同士の位置が一致するように位置決めされて形成されているものとする。なお、図１６（ａ）、図１６（ｂ）において、図２で示した物と同一物には同一符号を付してそれらの詳細な説明を省略する。
【００８０】
図１７は、図１に記載の振動装置において、振動伝達系統を構成する各部の更に別の実施例を示した図である。図１７において、図１７（ａ）は、上記振動伝達系統を上方から見た図であり、図１７（ｂ）は、図１７（ａ）のＥ−Ｅ´線で切断したときの振動発生部３、及び振動軸５の断面構造を示した図である。
【００８１】
本実施例では、図１６で示した実施例におけると同様に、振動伝達系統が、振動軸５と、１束に束ねられている複数本（図１７（ａ）では、５本）の音響発生葉用自在継手（１１１、１１３、１１５、１１７、１１９）と、複数本の音響発生葉用自在継手（１１１、１１３、１１５、１１７、１１９）を、振動軸５に取付固定するための１個の固定金具１２９とによって構成される。本実施例でも、図１、及び図２に記載したような台座７は用いていない。
【００８２】
固定金具１２９は、図１７（ａ）に示すように、略円筒形状を呈する、振動軸５よりも大径の基部１２９ａと、略台形状を呈する、基部１２９ａよりも小径の自在継手保持部１２９ｂと、を有する。基部１２９ａは、図１７（ｂ）に示すように、内周面の少なくとも一部が振動軸５の外周面に密着した状態で、振動軸５の略中間の部位からその上端部にかけての部位の外周面を全周に亘り覆うもので、その側面形状が略円筒状を呈する。自在継手保持部１２９ｂは、図１７（ｂ）に示すように、基部１２９ａの上方に位置する。自在継手保持部１２９ｂは、基部１２９ａと一体的（連続的）に形成されているもので、基部１２９ａの上端部からテーパ状に小径になって自在継手保持部１２９ｂを形作っている。
【００８３】
複数本の音響発生葉用自在継手（１１１、１１３、１１５、１１７、１１９）は、図１７（ｂ）に示すように、振動軸５の上端部から離間した位置にて、自在継手保持部１２９ｂにより保持される。よって、振動発生部３において発生した音響振動は、振動軸５から固定金具１２９を介して各々の音響発生葉用自在継手（１１１、１１３、１１５、１１７、１１９）に伝達される。
【００８４】
なお、固定金具１２９を構成する金属材料には、可撓性を有し、且つ、基部１２９ａに嵌挿される振動軸５、及び自在継手保持部１２９ｂに嵌挿される複数本の音響発生葉用自在継手（１１１、１１３、１１５、１１７、１１９）を締め付ける方向に付勢する付勢力を生ぜしめる弾性力を有する金属材料が採用される。よって、本実施例では、図１６で示したような固定金具締結部材（固定ねじ）を必要としない。
【００８５】
ところで、従来、中高音用スピーカを大型化せずに再生帯域を低い周波数方向へ拡大できるようにすることを目的としたスピーカシステムが提案されている（特開平５−２８４５８６号公報）。該提案では、スピーカユニットの前面に配置した閉止音響管形態の第一のキャビネットの側面に音響ポートが設けられている。
【００８６】
また、小型ながら、所望の低音域の信号を可能な限り平坦な周波数特性で再生することができるようにすることを目的としたスピーカ装置も提案されている（特開２００３−２８９５９３号公報）。該提案では、音響管の共振周波数を、音響容積部分と音響管とによるヘルムホルツの共振周波数より０.５〜２.５オクターブ高い周波数とし、音響容積部分と音響管とはヘルムホルツの共鳴器を構成しており、所定のヘルムホルツの共振周波数において共振するようになっている。また、音響管自体も共振周波数を有する。
【００８７】
特開平５−２８４５８６号公報に係る技術では、通常のケルトン方式によるヘルムホルツ共振に加え、閉止音共振に起因する出力音圧の増大により広帯域低音再生が行え、また、特開２００３−２８９５９３号公報に係る技術では、ヘルムホルツの共振周波数から音響管の共振周波数までの連続的な帯域の信号を出力できる。
【００８８】
しかし、上記何れの技術に係るスピーカも、高品質の音響が出力され得る構造になっているため、大型化は避けられない。特に低音の音響の再生帯域を広くとったものでは、大型化は顕著である。このような構造のスピーカは、如何に高品質の音響が出力され得るものであったとしても、葉や幹等の観葉植物の中央部よりも上方の部位から音響が出力されるように、観葉植物の中央部よりも上方の部位に設置されるスピーカとして用いるには大型過ぎる。上記構造のスピーカを敢えて用いて、恰も観葉植物から直接音響が出力されるようにセットするとすれば、観葉植物が植えられている鉢に直接取付ける以外に方法はないが、このような方法を採用すれば、観葉植物からではなく鉢から音響が出力されることとなるので、違和感を拭い切れない。
【００８９】
そこで、本発明者等は上記に鑑みて、高品質の音響が出力可能で、且つ低音の音響の再生帯域を広くとることが可能なスピーカを、観葉植物の略中央の部位にセットできるようにし、それにより、スピーカからの音響が恰も観葉植物からの音響として認識され得るようにした。以下、上記構成のスピーカシステムを、本発明の他の実施形態として説明する。
【００９０】
図１８は、本発明の他の実施形態に係るスピーカシステムの正面方向から見た断面図、図１９は、図１８に記載のスピーカシステムの上面図である。
【００９１】
本実施形態に係るスピーカシステムは、通常のケルトン型ウーハ（即ち、スピーカユニット（コーン）が、その前面をダクトのある空気室側、背面を密閉箱側に向けた状態で配置されていると共に、低音（低周波帯域に属する音響）のみを出力するようにしたキャビネット構造）の構成を前提としたものである。上記スピーカシステムの構成について更に詳述する。上記スピーカシステムは、図１８、及び図１９を参照して明らかなように、大径の円筒形状を呈するハウジング１３１と、その上面の略中心の部位から該上面と垂直方向に立設している、ハウジング１３１よりも小径の円筒形状を呈する第１音響管１３３と、を備える。ハウジング１３１と、第１音響管１３３とは密閉状態で連通している。上記スピーカシステムは、更に、第１音響管１３３の内部空間から該第１音響管１３３の内部空間とハウジング１３１の内部空間との連通部位を経てハウジング１３１の内部空間に達する区間を占める第２音響管１３５をも備える。
【００９２】
ハウジング１３１は、スピーカユニット１３７により上側キャビネット１３９（即ち、空気室）と、下側キャビネット１４１（即ち、密閉箱）とに仕切られている。上側キャビネット１３９と下側キャビネット１４１とは、図１８に示すように、上側キャビネット１３９の容積の方が、下側キャビネット１４１の容積よりも相当に小さな値になるように、スピーカユニット１３７のハウジング１３１内における取付固定位置が決められている。上側キャビネット１３９の容積については、後に詳述する。
【００９３】
既述のように、スピーカユニット１３７は、その前面、即ち、コーン面１３７aを上側キャビネット１３９の側に、背面１３７ｂを下側キャビネット１４１の側に向けた状態で配置されている。スピーカユニット１３７には一対の信号ケーブル（図示しない）を通じて図示しない音源（例えばＣＤプレイヤー）から音声信号（電気信号）が伝送され、該音声信号（電気信号）が、スピーカユニット１３７を構成するボイスコイルにおいて音響（振動）に変換される。
【００９４】
第１音響管１３３は、その上端部が開放端（大気開放）になっており、第１音響管１３３の開放端寄りの側面には、複数の音響ポート１４３、１４５、１４６、１４７、１４８が形成されている。上記各々の音響ポートのうち、音響ポート１４６、１４７、１４８は、第１音響管１３３から出力される音響の高周波特性の不要な共振を緩和し、周波数特性を平坦にするため、第１音響管１３３の側面に形成されるもので、上記スピーカシステムにおけるヘルムホルツ共振周波数特性に影響を及ぼさないよう、可能な限り小径で、且つ、少ない数に設定される。他方、音響ポート１４３、１４５は、第１音響管１３３から出力される音響に指向性を持たせるために形成されるもので、音響ポート１４３、１４５として、第１音響管１３３の断面積の１／５程度の大きさの開口面積を持つポートを３〜６個程度形成することで、第１音響管１３３から出力される音響に一定の指向性を持たせることができる。音響ポート１４３、１４５を形成したことにより生じる第１音響管１３３における音響の指向性、及び第１音響管１３３における、音響ポート１４３、１４５とヘルムホルツの共振周波数との関係については、夫々後に詳述する。
【００９５】
第２音響管１３５は、第１音響管１３３内を摺動自在に、第１音響管１３３から上側キャビネット１３９にかけての内部空間に配置されている。即ち、第２音響管１３５は、その外周面と第１音響管１３３の内周面とが略密着した状態で往復動するよう、第２音響管１３５の外径が、第１音響管１３３の内径よりも極く僅かに小径に設定されている。第２音響管１３５は、その下端部が、コーン面１３７aに接触しない位置を下限位置とし、該下限位置、及び該下限位置から上方の適宜な位置において位置決めされた状態で、第１音響管１３３に取付固定される。
【００９６】
コーン面１３７aは、スピーカユニット１３７が、上記図示しない音源からの音声信号（電気信号）を受けて上／下方向に振動する。そのため、上記下限位置は、コーン面１３７aの上／下方向の振動によっても、第２音響管１３５の下端部がコーン面１３７ａに接触することのないように決定されるものとする。第２音響管１２５は、第１音響管１３３から上側キャビネット１３９にかけての内部空間を移動することで、上側キャビネット１３９の容積を可変する上側キャビネット可変部として機能する。
【００９７】
ここで、第２音響管１３５の下端部とコーン面１３７aとの間隔ｄは、小さければ小さいほど、上記スピーカシステムにおける高周波帯域での出力特性が向上する。よって、第２音響管１３５の下端部の位置を適宜移動させることで、上記間隔ｄを可変調整することにより、上記スピーカシステムを、低周波帯域のみならず高周波帯域においても良好な出力特性を得ることが可能になる。換言すれば、ケルトン型のスピーカ（ケルトン型ウーハ）では、従来、低周波帯域においてのみ、良好な出力特性が得られたのであるが、上記スピーカシステムのような、第１音響管１３３の内部において移動自在な第２音響管１３５を備える構造にすることにより、１台のスピーカシステムで、低周波帯域、及び高周波帯域の双方に亘って良好な出力特性が得られることになる。
【００９８】
次に、上記スピーカシステムにおけるヘルムホルツの共振周波数特性について、説明する。
【００９９】
図１８に記載のスピーカシステムにおいて、音響ポート１４３、１４５、１４６、１４７、１４８が無い場合は、第１音響管１３３、及び第２音響管１３５の断面積をＳ、上側キャビネット１３９の容積をＢ、第１音響管１３３の上端部（開放端）から第２音響管１３５の下端部までの長さをＬ（可変長）、音速（≒３３４ｍ／ｓ）をＣとすれば、上記スピーカシステムにおけるヘルムホルツの共振周波数ｆ０は、下記の数式で表される。
【０１００】
ｆ０＝（Ｃ／２π）・（Ｓ／ＬＢ）１／２
【０１０１】
ところで、上記スピーカシステムでは、第１音響管１３３から出力される音響に指向性を持たせるため、第１音響管１３３の側面に複数個の音響ポート１４３、１４５、１４６、１４７、１４８が形成されているが、これらの音響ポート１４３、１４５、１４６、１４７、１４８のうち、音響ポート１４６、１４７、１４８が第１音響管１３３の側面に形成されることにより、厳密な意味で上記関係数は成立しなくなる。しかし、音響ポート（１４６、１４７、１４８）の数を必要最小限の数とし、且つ、それらの大きさを可能な限り小さな大きさに設定することにより、少なくとも  ｆ０≒（Ｃ／２π）・（Ｓ／ＤＢ）１／２の関係式が成立し得る。なお、符号Ｄは、音響ポート１４５の下部から第２音響管１３５の下端部までの長さ（可変長）を示す。
【０１０２】
図２０は、図１８、及び図１９に記載のスピーカシステムから出力される音響の指向特性を示す説明図である。
【０１０３】
図２０において、図２０（a）は、上記スピーカシステムをその正面方向から見たときの、上記スピーカシステムからの音響の指向特性を、図２０（ｂ）は、上記スピーカシステムをその上面方向から見たときの、上記スピーカシステムからの音響の指向特性を、夫々示す。
【０１０４】
図２０（a）、及び図２０（ｂ）を参照して明らかなように、第１音響管１３３を通じてスピーカシステムの外部に出力される音響は、第１音響管１３３の上下方向（長尺方向）に指向性を有し、第１音響管１３３の側面方向（横手方向）については無指向性である。
【０１０５】
図２１は、図１８、及び図１９に記載のスピーカシステムから出力される音響の低周波帯域から高周波帯域に亘る減衰特性を示した図である。
【０１０６】
図２１において、縦軸には減衰量（単位：ｄＢ）が、横軸には周波数（単位：Ｈｚ）が、夫々プロットされている。曲線１５１は、第２音響管１３５を設けた場合の上記スピーカシステムから出力される音響の減衰特性を、曲線１５３は、第２音響管１３５が設けられていない場合の上記スピーカシステムから出力される音響の減衰特性を、夫々示す。曲線１５１と曲線１５３とを比較対照すれば、第２音響管１３５を設けた場合の方が、設けていない場合よりも、上記スピーカシステムから出力される音響の高周波帯域における減衰量が充分に小さいことが明らかである。
【０１０７】
以上説明したように、本発明の他の実施形態に係るスピーカシステムによれば、図１８で示した上側キャビネット１３９の容積と、下側キャビネット１４１の容積との関係、第１音響管１３３の長さと、第２音響管１３５の長さとの関係、音響ポート１４３、１４５の設置個数とそれらの大きさ等を、夫々適正な値になるように設計することにより、従来のケルトン型スピーカよりも小型で無指向性で広帯域に亘り出力特性の良好なスピーカシステムが得られる。また、上記スピーカシステムの小型化が可能であるので、上記スピーカシステムを、例えば観葉植物の鉢部等に容易に設置することができる。このように、上記スピーカシステムを、観葉植物の鉢部に設置したとしても、小型で目立たないため、上記スピーカシステムからの音響が、恰も観葉植物自身からの音響であるかのように、聴衆を認識させることも可能になる。なお、上記スピーカシステムの設計手法においては、従来より用いられている計算方法をそのまま利用することも可能である。
【０１０８】
以上、本発明の好適な実施形態を説明したが、これらは本発明の説明のための例示であって、本発明の範囲をこれらの実施形態にのみ限定する趣旨ではない。本発明は、他の種々の形態でも実施することが可能である。
【図面の簡単な説明】
【０１０９】
【図１】本発明の一実施形態に係る音響発生装置が備える振動装置の全体構成を示した図。
【図２】図１に記載した振動装置において、振動伝達系統を構成する各部を示した図。
【図３】図１に記載した振動装置を構成するケーシング、及び振動発生部を示した図。
【図４】図１、及び図２に記載した音響発生葉用自在継手、及びダミー（装飾葉）用自在継手の構造を示した図。
【図５】図４に記載した音響発生葉用自在継手、及びダミー（装飾葉）用自在継手が湾曲したときの状態を示した図。
【図６】本発明の一実施形態に係る音響発生装置において、音響発生用部材として用いられる葉の模造品（人造の葉）の一例を示す説明図。
【図７】図６に記載した人造の葉の構造の一例を示した図。
【図８】図７に記載した人造の葉における複数本の枝軸の、中心軸への接続構造（取付構造）を示す部分斜視図。
【図９】図６に記載した音響発生部材、即ち、人造の葉における音響の発生原理を示す説明図。
【図１０】図９に記載した音響発生部材、即ち、人造の葉における音響の発生原理を示す説明図。
【図１１】図６に記載した人造の葉における音響振動の指向特性の一例を示す説明図。
【図１２】図６に記載した人造の葉の構造の別の例を示した図。
【図１３】図６に記載した音響発生用部材として用いられる複数の人造の葉の、振動装置への取付態様の一例を示す説明図。
【図１４】図６に記載した音響発生用部材として用いられる複数の人造の葉の、振動装置への取付態様の別の例を示す説明図。
【図１５】図６に記載した音響発生用部材として用いられる複数の人造の葉の、振動装置への取付態様の更に別の例を示す説明図。
【図１６】図１に記載した振動装置において、振動伝達系統を構成する各部の別の実施例を示した図。
【図１７】図１に記載した振動装置において、振動伝達系統を構成する各部の更に別の実施例を示した図。
【図１８】本発明の他の実施形態に係るスピーカシステムの正面方向から見た断面図。
【図１９】図１８に記載したスピーカシステムの上面図。
【図２０】図１８、及び図１９に記載したスピーカシステムから出力される音響の指向特性を示す説明図。
【図２１】図１８、及び図１９に記載したスピーカシステムから出力される音響の低周波帯域から高周波帯域に亘る減衰特性を示した図。
【符号の説明】
【０１１０】
１  ケーシング
３  振動発生部
５  振動軸
７  台座
９  音響発生用自在継手固定キャップ
１１、１３、１５、４１、１１１、１１３、１１５、１１７、１１９  音響発生葉用自在継手
１７、１９、３７  ダミー（装飾葉）用自在継手
２１、２３、４３  音響発生葉用自在継手固定ねじ
２５、２７、３９  ダミー（装飾葉）用自在継手固定ねじ
２９  装飾用ホルダ
３１，３３  振動軸保持用Ｏリング
３５  空隙
４４  台座固定用のねじ
４５、４７、４９、５１、５３  竹ひご
５５  熱収縮チューブ
５７  固定キャップ
５９、９１  人造の葉
６１  接続用の円筒状固定金具
６３、９３  中心軸
６５、６７、６９、７１、７３、７５、７７、７９、９５、９７、９９、１０１、１０３、１０５、１０７、１０９  枝軸
８１、８３  振動板
８５、８７  枝軸固定補助板（葉脈固定補助板）
１２１、１２３、１２９  固定金具
１２５、１２７  固定ねじ
【図１】
2008167135.tif 000003
【図２】
2008167135.tif 000004
【図３】
2008167135.tif 000005
【図４】
2008167135.tif 000006
【図５】
2008167135.tif 000007
【図６】
2008167135.tif 000008
【図７】
2008167135.tif 000009
【図８】
2008167135.tif 000010
【図９】
2008167135.tif 000011
【図１０】
2008167135.tif 000012
【図１１】
2008167135.tif 000013
【図１２】
2008167135.tif 000014
【図１３】
2008167135.tif 000015
【図１４】
2008167135.tif 000016
【図１５】
2008167135.tif 000017
【図１６】
2008167135.tif 000018
【図１７】
2008167135.tif 000019
【図１８】
2008167135.tif 000020
【図１９】
2008167135.tif 000021
【図２０】
2008167135.tif 000022
【図２１】
2008167135.tif 000023